Podtech/llm-jp-corpus-v4-ja_patent huggingface dataset:
(57)【要約】      （修正有）【課題】軽くて、掘削した穴の深さ浅さにより長さが調節できる押し下げ鋼管を提供する。【解決手段】鋼管を複数連結させた、ドレーン材埋設用先端部材の押し下げ鋼管であって、第一の鋼管１は、下端に先端部材を押し下げるための鉄２が溶接されて取り付けられ、上端外周面に第二の鋼管５と連結するためのネジ部３が設けられ、第二の鋼管にも、下端の外周面に第一の鋼管と連結するためのネジ部３が設けられ、第一の鋼管と第二の鋼管の各ネジ部上に継ぎソケット４を設けて螺合することにより、第一の鋼管と第二の鋼管とが連結される。また、第二の鋼管は、上端の外周面に第三の鋼管６と連結するためのネジ部がさらに設けられ、第二の鋼管と第三の鋼管の各ネジ部上に継ぎソケットを設けて螺合することにより、第二の鋼管と第三の鋼管とが連結される。【選択図】図１
0003190189.tif 000002
【実用新案登録請求の範囲】
【請求項１】
人間の手でケーシング下端のアタッチメント内に係合されている先端部材を押し下げる、押し下げ鋼管。
【請求項２】
肉厚の薄い構造の鋼管で、第一の鋼管の下部の先端部分に鉄を溶接して取り付け、上部はネジ状にし、第二の鋼管、第三の鋼管等は下部、上部共にネジ状にし、継ぎのソケットで連結し、長さ等を調節できる押し下げ鋼管。
【考案の詳細な説明】
【技術分野】
【０００１】  本考案は地盤の液状化対策工法として、透水性の高いドレーン材を地中に埋設する方法に関し、特にドレーン材の埋設の前にケーシングを地中に打設して、ケーシング内にドレーン材を導入した後、ケーシングの先端部材を地中に残すための、ドレーン材埋設方法に関する物である。
【背景技術】
【０００２】  従来ドレーン材を地中に埋設する方法として、前もってケーシングを地中に打設し、ケーシングの先端部材により掘削を行い、ケーシング内にドレーン材を導入したした後、ケーシングの先端部材とドレーン材を地中に残してケーシングのみを引き上げることにより、先端部材とドレーン材を埋設する方法がある。【０００３】  従来ドレーン材埋設機械は、リーダー付きの埋設機械で、先端部材をケーシング下端のアタッチメントから離脱させる方法として、ドレーン材をケーシング内に導入の後、リーダーを利用して埋設機械でケーシング内に鉄棒を導入し、鉄棒により先端部材を押し下げ、先端部材をアタッチメントから離脱させる方法が用いられている。
【考案の開示】
【考案が解決しようとする課題】
【０００４】  従来ドレーン材埋設機械は、リーダーを使用して埋設機械で鉄棒をケーシング内に導入して先端部材をアタッチメントから離脱させるため、埋設機械の力でドレーン材を鉄棒で下に押し下げ、先端部材をアタッチメントから離脱させております。【０００５】  しかしながらリーダーを使用しないドレーン材埋設機械の場合、鉄棒による先端部材の押し下げは、リーダーを使用することができず、埋設機械も使用できず、鉄棒の長さ、重量の重さにより、人間の力で鉄棒をケーシング内に導入し、回収することは不可能に近い状況にあります。
【課題を解決しようとする手段】
【０００６】  本考案を図とともに説明すれば、一般に市販されているガス管等の肉厚の薄い軽い鋼管の第一の鋼管１の下部の先端部分２を硬い鉄の先端部分２を溶接して取り付け、第一の鋼管１の上部の部分をネジ状３にして、継ぎのソケット４と螺合させ、第二の鋼管５の下部と上部をネジ状３にして継ぎのソケット４と螺合できるように作製し、第三の鋼管６、第四の鋼管も第二の鋼管５と同様に作製する。
【考案の効果】
【０００７】  本考案は以上のような構造なので押し下げ鋼管が軽く、掘削した穴の深さ浅さにより押し下げ鋼管の長さが調節でき、使用方法は人間の力で埋設したケーシング１０内に、第一の鋼管１の先端部分を導入し、脚立７に乗った人に押し下げ鋼管を渡し、押し下げ鋼管を垂直に立てケーシング１０内に押し下げ鋼管を導入し、ケーシング下端の先端部材に押し下げ鋼管が到達し止まります。そこで人間の力で押し下げ鋼管を上下に動かし先端部材に打ち付け、下に押し下げ、先端部材をアタッチメント１２内から外れやすく、また外すようにし、先端部材とアタッチメント１２の離脱を手助けします。そして押し下げ鋼管のアタッチメント１２からの回収は、押し下げ鋼管のアタッチメント１２への導入と逆の行動で地上に回収します。それでも人間の力で垂直に立てられない長さの押し下げ鋼管の場合、落下防止装置９によって、ソケット４のところで止め、押し下げ鋼管の組み立て、解体をしてケーシング１０内から押し下げ鋼管の出し入れをする。
【産業上の利用可能生】
【０００８】  先端部材１１とケーシング１０のアタッチメント１２との離脱させる装置の性能を高め、離脱が容易にでき、ドレーン材の埋設作業を速めることができます。
【図面の簡単な説明】
【０００９】
【図１】  押し下げ鋼管の断面図
【図２】  押し下げ鋼管の実施方法図
【図３】  落下防止装置使用図
【図４】  リーダーを使用しないドレーン材埋設機図
【符号の説明】
【００１０】１  第一の鋼管
２  硬い先端部分
３  ネジ状
４  継ぎのソケット
５  第二の鋼管
６  第三の鋼管
７  脚立
８  作業員
９  落下防止装置
１０  ケーシング
１１  先端部材
１２  アタッチメント
【図１】
0003190189.tif 000003
【図２】
0003190189.tif 000004
【図３】
0003190189.tif 000005
【図４】
0003190189.tif 000006
【手続補正書】
【提出日】平成26年1月28日(2014.1.28)
【手続補正１】
【補正対象書類名】実用新案登録請求の範囲
【補正対象項目名】全文
【補正方法】変更
【補正の内容】
【実用新案登録請求の範囲】
【請求項１】
鋼管を複数連結させた、ドレーン材埋設用先端部材の押し下げ鋼管であって、
第一の鋼管は、下端に前記先端部材を押し下げるための鉄が溶接されて取り付けられ、上端外周面に第二の鋼管と連結するためのネジ部が設けられ、第二の鋼管は、下端の外周面に第一の鋼管と連結するためのネジ部が設けられ、
前記第一の鋼管と前記第二の鋼管の各ネジ部上に継ぎソケットを設けて螺合することにより、前記第一の鋼管と前記第二の鋼管とが連結されるドレーン材埋設用先端部材の押し下げ鋼管。
【請求項２】
第二の鋼管は、上端の外周面に第三の鋼管と連結するためのネジ部がさらに設けられ、
前記第二の鋼管と前記第三の鋼管の各ネジ部上に継ぎソケットを設けて螺合することにより、前記第二の鋼管と前記第三の鋼管とが連結される請求項１記載のドレーン材埋設用先端部材の押し下げ鋼管。
(57)【要約】      （修正有）【課題】多発する後方背後よりの犯罪を予防解決する護身具を提供する。【解決手段】柄付手鏡の背面に面ファスナ−を貼付け、当該面ファスナ−に対して、背面に面ファスナ−を貼り付けたスマ−トフォンを、セットする。【選択図】図５
0003190200.tif 000002
【実用新案登録請求の範囲】
【請求項１】
柄付手鏡・スマートフォン・をセット、背後方、護身具［バウミラー］
【考案の詳細な説明】
【技術分野】
【０００１】本発明は．柄付手鏡・スマートフォンを．マジックテープでセットして護身防犯予防に利用する。
【背景技術】
【０００２】手鏡（背後方を見る）スマートフォン（緊急時用ブザーワンタッチダイヤルに▲１▼１１０番▲２▼１１９番▲３▼自身住所氏名を登録して置く）
【考案の開示】
【考案が解決しようとする課題】
【０００３】最近、ひったくり痴漢ストーカー等、多発する背後方からの犯罪予防に対する課題
【課題を解決するための手段】
【０００４】この課題を解決するための、請求項１の発明は、柄付手鏡・スマートフォン・マジックテープ・の機能を生かし、セット・背後方に不審危険を感じた時バウミラー・を自体背後に向けて出し、振り向かず、緊急時用ブザー・を鳴らし撮影ワンタッチダイヤル・を発信して護身する
【考案の効果】
【０００５】本発明により危機に遭遇した時、即刻周囲に助けを求められる
バウミラー出現が知れ渡ることにより［０００３］関係の犯罪を減少させる
【考案を実施するための最良の形態】
【図面の簡単な説明】
【０００６】
【図１】・柄付手鏡・の正面図である
【０００７】
【図２】・柄付手鏡背面・にパーツ・マジックテープ・を貼付けた図である
【０００８】
【図３】・スマートフォン本体正面図・である
【０００９】
【図４】・スマートフォン本体背面・である
【００１０】
【図５】・柄付手鏡・スマートフォン・をセットした図である
【００１１】
【図６】（パーツ）マジックテープ・である
【符合の説明】
【００１２】１        鏡面
２        柄
３        （パーツ）マジックテープ
４        カメラ
５        緊急時用ブザースイッチ
６        デイスプレイ（タッチパネル）
７        ワンタッチダイヤル
８        カメラボタン
【図１】
0003190200.tif 000003
【図２】
0003190200.tif 000004
【図３】
0003190200.tif 000005
【図４】
0003190200.tif 000006
【図５】
0003190200.tif 000007
【図６】
0003190200.tif 000008
【手続補正書】
【提出日】平成26年2月5日(2014.2.5)
【手続補正１】
【補正対象書類名】実用新案登録請求の範囲
【補正対象項目名】全文
【補正方法】変更
【補正の内容】
【実用新案登録請求の範囲】
【請求項１】
柄付手鏡の背面に面ファスナ−を貼付け、当該面ファスナ−に対して、背面に面ファスナ−を貼り付けたスマ−トフォンを、セットしたことを特徴とする護身具。
【手続補正２】
【補正対象書類名】明細書
【補正対象項目名】全文
【補正方法】変更
【補正の内容】
【考案の詳細な説明】
【技術分野】
【０００１】本考案は、柄付手鏡・スマ−トフォンを、メンファスナ−でセットして護身  防犯に利用する。
【背景技術】
【０００２】手鏡（背後方を見る）  スマ−トフォン（ワンタッチダイヤルに▲１▼１１０番▲２▼１１９番）▲３▼名前住所を登録して置く）
【考案が解決しようとする課題】
【０００３】最近、ひったくり痴漢スト−カ−他、背後方からの犯罪予防に対する課題。
【課題を解決するための手段】
【０００４】この課題を解決するための請求項１の考案は、柄付手鏡・スマ−トフォン・面ファスナ−の機能を生かし（図５参照）セット、背後方に不審危険を感じた時、護身具をカバンより取り出し、自体背後に向け手鏡に写った危険物を確認し、振向かず緊急用ブザ−を鳴らし撮影、ワンタッチダイヤルを発信し助けを求めることができる。
【考案の効果】
【０００５】本考案［護身具］により危機に遭遇した時、即刻周囲に助けを求められる。
［０００３］犯罪解決が早められ、［護身具］所持者が多くなることが知れ渡ることにより、犯罪者心理の抑制にもなつながる。
【図面の簡単な説明】
【０００６】
【図１】柄付手鏡表面図
【図２】柄付手鏡裏面図
【図３】スマ−トフォン表面図
【図４】スマ−トフォン裏面図
【図５】柄付手鏡・面ファスナ−・スマ−トフォン・セット図
【図６】柄付手鏡・スマ−トフォン・セットパ−ツ面ファスナ−
【符合の説明】
【０００７】１        鏡面
２        柄
３        面ファスナ−Ａ
４        カメラ
５        緊急時用ブザ−ボタン
６        タッチパネル
７        ワンタッチダイヤル
８        カメラボタン
９        面ファスナ−Ｂ
【手続補正３】
【補正対象書類名】図面
【補正対象項目名】全図
【補正方法】変更
【補正の内容】
【図１】
0003190200.tif 000009
【図２】
0003190200.tif 000010
【図３】
0003190200.tif 000011
【図４】
0003190200.tif 000012
【図５】
0003190200.tif 000013
【図６】
0003190200.tif 000014
(57)【要約】      （修正有）【課題】プレートでまつげを挟む角度を自在に変えられるまつげカーラーを提供する。【解決手段】まつげを挟む弾性体の架台の両端に回転軸をつけることにより、プレートと前記弾性体でまつげを挟む角度を自在に変えられる事を特徴とする。【選択図】図３
0003190198.tif 000002
【実用新案登録請求の範囲】
【請求項１】
まつげを挟む弾性体の架台に回転軸をつけることにより  プレートでまつげを挟む角度を自在に変えられる事を特徴とするまつげカーラー。
【考案の詳細な説明】
【技術分野】
【０００１】  本考案はまつげをカールするまつげカーラーに関するものである。
【背景技術】
【０００２】［図１］が従来のまつげカーラーの外観で  まつげをカールするための固定されたプレートと  直線方向に移動してまつげをはさむための架台と架台の上に乗る弾性体
【考案の開示】
【考案が解決しようとする課題】
【０００３】［図２］が従来のまつげカーラーの架台の平面図で  パイプが両端の穴を通り  架台はパイプの直線方向にのみ移動し  まつげを挟む際のプレートと弾性体の角度は一定で  ［図４］のように  まつげを曲げる角度を変えることができない。まつげを状況にあわせて大きく曲げたり、小さく曲げたりする事ができない。
【課題を解決するための手段】
【０００４】［図３］の架台に回転軸をつけた本考案を提供する。
【考案の効果】
【０００５】［図４］の従来の架台と弾性体によるまつげカールの状態では曲がりが少ない
しかし本考案［図５］のように  架台の角度を変えて  まつげをプレートと弾性体で挟むことにより  従来の架台のものより大きく曲げることができる。また角度の調整により大きく曲げたり  小さく曲げることも出来る。
【実施例】
【０００６】［図５］のように架台を傾けることにより  プレートと弾性体の角度が変わり  まつげを大きく曲げることができる。
【産業上の利用可能性】
【０００７】従来のまつげカーラーよりまつげを大きく曲げることができ  目元をより美しく見せる効果があるのと  カールする時間を短縮することができる。
【図面の簡単な説明】
【０００８】
【図１】従来のまつげカーラーの外観
【図２】従来のまつげカーラーの架台の平面図
【図３】本考案のまつげカーラーの架台の平面図
【図４】従来のまつげカーラーの使用時の側面図
【図５】本考案のまつげカーラーの使用時の側面図
【図１】
0003190198.tif 000003
【図２】
0003190198.tif 000004
【図３】
0003190198.tif 000005
【図４】
0003190198.tif 000006
【図５】
0003190198.tif 000007
【手続補正書】
【提出日】平成26年1月29日(2014.1.29)
【手続補正１】
【補正対象書類名】実用新案登録請求の範囲
【補正対象項目名】全文
【補正方法】変更
【補正の内容】
【実用新案登録請求の範囲】
【請求項１】
まつげを挟む弾性体の架台の両端に回転軸をつけることにより  プレートと前記弾性体でまつげを挟む角度を自在に変えられる事を特徴とするまつげカーラー。
(57)【要約】      （修正有）【課題】室内収納スペース用３枚戸が別々のレール上にあるために段差のある戸面を構成し、プロジェクター用スクリーンとして使い難いという制約を解除し、３枚の戸が同一平面を構成できる構造とした室内収納スペース用３枚戸を提供する。【解決手段】室内収納スペース用３枚戸の、戸にはレールを走る主車輪とは別に主車輪の走る方向に対し８０度の角度で走行する副車輪を持つ戸の車輪ユニットが装着され、レールにはレール方向に対し８０度の角度の溝１ｂを持ち２本のレール１ａを繋ぐレール分岐ブロックが配置され、これら戸に装着された車輪ユニットとレールに接合されたレール分岐ブロックを使って３枚戸のうち左右２枚を中央のレールに運ぶ事が可能になる事により、室内収納スペース用３枚戸が同一平面を構成する事を特徴とする。【選択図】図１
0003190191.tif 000002
【実用新案登録請求の範囲】
【請求項１】
室内収納スペース用３枚戸のうち、左右２枚を、戸の車輪ユニットとレール分岐ブロックを使って中央のレールに運ぶ事が可能となる事により室内収納スペース用３枚戸が同一平面を構成するデザインの製品が作れる。
【考案の詳細な説明】
【技術分野】
【０００１】本考案は、室内収納スペース用３枚戸の開閉の仕方に関するものである。
【背景技術】
【０００２】室内収納スペース用３枚戸は３枚の戸が各々専用の３本のレール上を走る事により開閉が行われていた。
【考案の概要】
【考案が解決しようとする課題】
【０００３】室内収納スペース用３枚戸は３枚の戸が各々専用の３本のレール上を走る事により開閉できる。
これは開時に総戸面の３分の２相当を開く事ができ、収納品の出し入れに高い利便性を発揮する。
しかしそれでは、閉時に各戸の厚さの２倍を超える段差が生じ、プロジェクターによる画像投影のスクリーンとしてそのままでは使い難い。
それを３枚の戸が他の戸のレール上を走る事ができる事により、閉時に３枚の戸が中央の同一レール上に存在し、段差が生じるという問題点を解決している。
【課題を解決するための手段】
【０００４】室内収納スペース用３枚戸のうち、左右２枚を、戸の車輪ユニットとレール分岐ブロックを使って中央のレールに運ぶ事が可能となる事により室内収納スペース用３枚戸が同一平面を構成する。
【考案の効果】
【０００５】室内収納スペース用３枚戸の機構、形状を変更する事により、下記の効果が実現できる。
１．  ３枚戸が閉時に同一平面を構成するため、プロジェクターによる画像投影のスクリ      ーンとしてそのまま使用できる。
同様に大型のポスター、紙面などを戸をまたいで貼っても段差が生じず、見易く加      筆等がし易くなる。
２．  ３枚戸が閉時に同一平面となるため、室内景観にすっきり感が出せる。
３．  ３枚戸に段差がなく、戸相互の隙間がほぼ無くなり、収納スペースへの塵、埃湿気      などの入り込みへの心配が減らせる。
【図面の簡単な説明】
【０００６】
【図１】本考案の天地のレールに組み込まれるレール分岐ブロックの平面図、右側面図、底面図、正面図、背面図である。左側面図は右側面図に対称形のため、これを省略する。
【図２】本考案の、戸の天地に組み込まれる車輪ユニットの平面図、右側面図、底面図、正面図である。左側面図は右側面図に、背面図は正面図に対称形のため、これを省略する。
【図３】本考案の地面側レールにレール分岐ブロックを配した見取り図である。
【図４】本考案の３枚の戸が中央のレールに並んだ見取り図である。
【図５】本考案でレールから戸を外す場合の最初の手順の戸の位置の見取り図である。
【図６】本考案のレール分岐ブロックの参考図としての斜視図である。
【図７】本考案の戸の車輪ユニットの参考図としての斜視図である。
【考案を実施するための形態】
【０００７】室内収納スペース戸面の横の長さの概ね３分の１に相当する幅を持つ３枚の戸の各戸同士の接面は戸の走る方向に対し７０度の角度を持つものとする。
本考案の車輪ユニットはレールを走る主車輪１個と、その走る方向に対し８０度の角度で走行する副車輪２個から成る。
３枚の各戸の天地４か所に本考案の車輪ユニットを組み込み、その各戸に組み込まれた車輪ユニットの間隔寸法は３枚とも同一とする。
本考案のレール分岐ブロックはレール方向に対し８０度の角度を持つ溝で２本のレールを繋いだものである。
各戸に組み込まれた車輪ユニットの位置寸法に応じた３本のレール上の５か所にレール分岐ブロックを組み込む。
図３のレール分岐ブロック３ｂおよび３ｃを使用し、戸Ｃ，Ａ，Ｂの順で戸をレールに嵌め込み使用する。
戸Ａおよび戸Ｃをレール分岐ブロックを使い中央のレールに運ぶ事により閉時に段差のない室内収納スペース用３枚戸を実現できる。
戸Ａおよび戸Ｃはレール分岐ブロックを使いレールに対し８０度の角度で運ばれるが、これは側壁面と１０度、戸Ｂ接面とも１０度の角度を持つため、互いに擦れる事はなく、また、閉時に戸相互の隙間はほぼ無くなる。
【実施例】
【０００８】本考案で室内収納スペース用３枚戸が閉時、同一平面を構成する事が可能となり、プロジェクターによる画像投影のスクリーンとして活用する事が可能となる。
【符号の説明】
【０００９】１ａ  レール分岐ブロック主レール
１ｂ  レール分岐ブロック分岐溝
１ｃ  レール分岐ブロック副車輪走路
２ａ  車輪ユニット主車輪
２ｂ  車輪ユニット副車輪
３ａ  レール分岐ブロック
３ｂ  レール分岐ブロック
３ｃ  レール分岐ブロック
３ｄ  レール分岐ブロック
３ｅ  レール分岐ブロック
Ａ  左戸
Ｂ  中央戸
Ｃ  右戸
【図１】
0003190191.tif 000003
【図２】
0003190191.tif 000004
【図３】
0003190191.tif 000005
【図４】
0003190191.tif 000006
【図５】
0003190191.tif 000007
【図６】
0003190191.tif 000008
【図７】
0003190191.tif 000009
【手続補正書】
【提出日】平成26年2月4日(2014.2.4)
【手続補正１】
【補正対象書類名】実用新案登録請求の範囲
【補正対象項目名】全文
【補正方法】変更
【補正の内容】
【実用新案登録請求の範囲】
【請求項１】
室内収納スペース用３枚戸の、戸にはレールを走る主車輪とは別に主車輪の走る方向に対し８０度の角度で走行する副車輪を持つ戸の車輪ユニットが装着され、レールにはレール方向に対し８０度の角度の溝を持ち２本のレールを繋ぐレール分岐ブロックが接合され、これら戸に装着された車輪ユニットとレールに接合されたレール分岐ブロックを使って３枚戸のうち左右２枚を中央のレールに運ぶ事が可能になる事により、室内収納スペース用３枚戸が同一平面を構成する事を特徴とする室内収納スペース用３枚戸。
(57)【要約】      （修正有）【課題】歯間ブラシの使用頻度が歯ブラシの使用頻度と同等に向上する歯間ブラシ付き歯ブラシを提供する。【解決手段】大、小や形状や形態を問わず、歯ブラシと歯間ブラシ２の一対の組み合わせで、歯ブラシ本体の柄１に、歯間ブラシが入る筒３で長さ３．５センチ程、直径１０ミリ程の筒３を、歯ブラシ本体に接着取付け一対にした、筒の底下には水抜けの穴４がある、歯間ブラシ２の出し入れが容易となる形状とした。【選択図】図１
0003190192.tif 000002
【実用新案登録請求の範囲】
【請求項１】
大、小は問わず、
歯ブラシの柄は真ん中が溝のある形状を持ち、
歯ブラシの柄側の溝と反対側に当る溝に歯間ブラシを
取付け、一対とし
歯間ブラシの柄の取付け部分を中心にして歯間ブラシの柄が
左右に動き、取外しが容易で交換ができる、又
左右の真ん中でとまる歯間ブラシも片側に動き、どちらも
折り畳まれて
歯ブラシの柄の溝の中に
収納される形状を特徴とした、歯間ブラシ付き歯ブラシ。
【考案の詳細な説明】
【考案の詳細な説明】
【０００１】本考案は、歯間ブラシと歯ブラシが一対にした考案であり、特に歯間ブラシ使用後の保管の仕方を楽にし、使用頻度も上がり、その交換も簡単に可能である。歯ブラシ柄の真ん中は溝になってあり、その柄の反対側に歯間ブラシを取付け、歯間ブラシ柄の取付け部分は、左右に動く、又
左右の真ん中で固定もある物も片側に動く形状を持ち、歯間ブラシの柄が折り畳まり、歯ブラシの柄にある溝に収納される。
【技術分野】
【０００２】本考案は歯ブラシに関するものである。
【考案の概要】
【０００３】
【考案が解決しようとする課題】
【０００４】従来の使用は歯間ブラシと歯ブラシはバラバラに使用され、特に歯間ブラシの使用後の保管が難で使用頻度も下がっていた。
【課題を解決するための課題】
【０００５】歯間ブラシの保管の難を歯ブラシと一対にしたことで保管が楽になった、使用頻度も上がる。
【考案の効果】
【０００６】歯間ブラシの使用頻度が歯ブラシの使用頻度と向上し
虫歯や歯周病予防に優れている。
【図面の簡単な説明】
【０００７】
【図１】歯間ブラシと歯ブラシが一対となった図
【考案を実施するための形態】
【実施例】
【０００８】図１  ▲２▼溝のある▲３▼歯ブラシ柄でブラシの付いている反対側に当る▲２▼の溝の中に▲１▼の歯間ブラシを▲４▼とめ具で取付けた図。
【符号の説明】
【０００９】図１  ▲１▼  歯間ブラシ    ▲２▼  歯ブラシの溝
▲３▼  歯ブラシ本体  ▲４▼  歯間ブラシのとめ具
【図１】
0003190192.tif 000003
【手続補正書】
【提出日】平成25年12月4日(2013.12.4)
【手続補正１】
【補正対象書類名】実用新案登録請求の範囲
【補正対象項目名】全文
【補正方法】変更
【補正の内容】
【実用新案登録請求の範囲】
【請求項１】
大、小は問わず、
歯ブラシの柄は真ん中が溝のある形状を持ち、
歯ブラシ側の柄の溝と反対側に当る溝に歯間ブラシを
取付け、一対とし
歯間ブラシの柄の取付け部分を中心にして歯間ブラシの柄が左右に動き、取外しが容易で交換も出来る、又
左右の真ん中で止まる歯間ブラシも片側に動き、どちらも折り畳まれて歯ブラシの柄の溝の中に
収納される形状を特徴とした、歯間ブラシ付き歯ブラシ。
【請求項２】
請求項１記載の歯ブラシと歯間ブラシの一対の組み合わせで歯ブラシ本体の柄に、歯間ブラシが入る筒で長さ４センチ程、直径５ミリ〜８ミリの筒を、歯ブラシ本体に接着取付け一対にした筒の底下には水抜けの穴がある、
各歯間ブラシの出し入れが容易となる形状を特徴とした
請求項１記載の歯間ブラシ付き歯ブラシ。
【手続補正書】
【提出日】平成26年1月31日(2014.1.31)
【手続補正１】
【補正対象書類名】実用新案登録請求の範囲
【補正対象項目名】全文
【補正方法】変更
【補正の内容】
【実用新案登録請求の範囲】
【請求項１】
大、小や形状や形態を問わず、
歯ブラシと歯間ブラシの一対の組み合わせで
歯ブラシ本体の柄に、歯間ブラシが入る筒で長さ３．５センチ程、
直径１０ミリ程の筒を、歯ブラシ本体に接着取付け一対にした、
筒の底下には水抜けの穴がある、
歯間ブラシの出し入れが容易となる形状を特徴とした
歯間ブラシ付き歯ブラシ。
【手続補正２】
【補正対象書類名】明細書
【補正対象項目名】全文
【補正方法】変更
【補正の内容】
【考案の詳細な説明】
【考案の詳細な説明】
【０００１】本考案は、歯間ブラシと歯ブラシが一対にした考案であり特に歯間ブラシ使用後の保管の仕方が楽になり使用頻度も上がりその交換も簡単に出来る。
【技術分野】
【０００２】本考案は歯ブラシに関するものである
【考案の概要】
【０００３】
【考案が解決しようとする課題】
【０００４】従来の使用は歯間ブラシと歯ブラシはバラバラに使用され、特に歯間ブラシの使用後の保管が難で使用頻度も下がっていた。
【課題を解決するための課題】
【０００５】歯間ブラシの保管の難を歯ブラシと一対にしたことで保管が楽になった、使用頻度も上がる。
【考案の効果】
【０００６】歯間ブラシの使用頻度が歯ブラシの使用頻度と同等に向上し虫歯や歯周病予防に優れている。
【図面の簡単な説明】
【０００７】
【図１】歯間ブラシと歯ブラシが一対となった図
【考案を実地するための形態】
【実施例】
【０００８】図１  ▲１▼歯ブラシの柄と▲３▼の筒が接着一対されその筒に▲２▼の歯間ブラシを入れた図
【符号の説明】図１  ▲１▼歯ブラシの柄  ▲２▼歯間ブラシ  ▲３▼歯間ブラシ入れ筒
▲４▼水抜け穴
【手続補正３】
【補正対象書類名】図面
【補正対象項目名】全図
【補正方法】変更
【補正の内容】
【図１】
0003190192.tif 000004
(57)【要約】      （修正有）【課題】プラグを引き抜いたり差しこんだりすることなく安全に、簡単に、電源のオン・オフをすることができるスイッチプラグを提供する。【解決手段】電源をオン・オフする構造を有する略直方体形状のスイッチをプラグ側面に設ける。【選択図】図１
0003190179.tif 000002
【実用新案登録請求の範囲】
【考案の詳細な説明】
【技術分野】
【０００１】  本考案は電気器具のプラグにオン、オフのスイッチを付けて、使用しないときはスイッチをオフにし、プラグを引き抜く必要をなくすものです。
【背景技術】
【０００２】  従来、コンセントに差し込むプラグはコードの先に接続していたので，待機電力を節約するには、プラグを引き抜く必要があった。【０００３】
【考案の開示】
【考案が解決しようとする課題】
【０００４】  電気器具の待機電力の節約のためには、プラグを引き抜く必要があつたが度々引き抜くとプラグやコードに負担がかかり寿命を縮めていたので、プラグを抜かずに電源をオン・オフにする構造が必要であった。
【課題を解決するための手段】
【０００５】  プラグを引きぬいたり差し込んだりする代わりに、プラグにオン・オフのスイッチを付ける。
【考案の効果】
【０００６】  プラグにオン・オフのスイッチを付けることで、プラグを引き抜いたりさしこんだりすることなく電源を切り、入れをすることができる。
簡単で部品も少なく安全に操作ができ、プラグやコードの故障や損傷を少なくすることができる。【０００７】
【考案を実施するための最良の形態】
【０００８】  プラグの中にオン・オフのスイッチを付けてコードとの接続を切ったり入れたりするには故障しにくい構造にすることが大事で、本考案の形がよい。
【図面の簡単な説明】
【０００９】
【図１】  平面図
【図２】  断面図
【符号の説明】
【００１０】    １  コード止めビス
２  スイッチバー
３  コード
４  差し込み
５  導線
６  接、断サイン
７  サイン確認窓
８  接点
９  ビス穴
図１はスイッチプラグの平面図である。通常のプラグであるが中央に窓があり，切、入が外からわかるようになっている。符号２のスイッチバーを押すと窓の中の文字が切、入、と入れ替わる。
図２は断面図である。符号２のスイッチバーを片方から押すとバーの接点８が移動し、入りになり、もう片方から押すと切りになる。
【図１】
0003190179.tif 000003
【図２】
0003190179.tif 000004
【手続補正書】
【提出日】平成25年11月28日(2013.11.28)
【手続補正１】
【補正対象書類名】実用新案登録請求の範囲
【補正対象項目名】全文
【補正方法】変更
【補正の内容】
【実用新案登録請求の範囲】
【請求項１】
オン・オフのスイッチを付けたプラグである。
【手続補正書】
【提出日】平成26年1月31日(2014.1.31)
【手続補正１】
【補正対象書類名】実用新案登録請求の範囲
【補正対象項目名】全文
【補正方法】変更
【補正の内容】
【実用新案登録請求の範囲】
【請求項１】
「電源をオン・オフする構造を有する略直方体形状のスイッチをプラグ側面に設けたことを特徴とするスイッチプラグ。」
(57)【要約】      （修正有）【課題】仏壇の線香が倒れない、安全な線香立てを提供する。【解決手段】線香立ての器１の中に、灰の代わりに、極薄金属板を山型に折り曲げた桁２を、隙間３をおいて並べ、桁が直角に交差するように複数の層に重ねる。上から下まで見通せる隙間３に線香６を立てることを特徴とする。【選択図】図２
0003190177.tif 000002
【実用新案登録請求の範囲】
【請求項１】
線香立ての器（１）の中に、灰の代わりに、極薄金属板を山型に折り曲げた桁（２）を、隙間（３）をおいて並べた（Ａ）（Ｂ）（Ｃ）（Ｄ）（Ｅ）で構成する構造の本体を置き、下まで見通せる隙間（４）に線香（６）を立てる、線香が倒れない線香立て。
【考案の詳細な説明】
【技術分野】
【０００１】（１）この考案は、一般家庭の仏壇にある線香立ての構造に関するものである。
（２）線香が倒れない線香立ての、構造に関するものである。
【背景技術】
【０００２】従来、線香立ての器の中には、灰か砂を入れて、その中に線香を刺して立てていた。
【考案の概要】
【考案が解決しようとする課題】
【０００３】線香が倒れて、器から落ちて周囲に火が移り火災に至るのを防ぐ。
【課題を解決するための手段】
【０００４】器（１）の中に、灰の代わりに、極薄金属板を山型に折り曲げた桁（２）を隙間（３）をおいて並べた（Ａ）（Ｂ）（Ｃ）（Ｄ）（Ｅ）を各々直角に交差するように置く。
下まで見通せる隙間（４）に線香（６）を立てる。本考案は、以上の構成よりなる。
【考案の効果】
【０００５】線香が倒れて落ちることによる火災を防ぐ効果がある。
【図面の簡単な説明】
【０００６】
【図１】本考案の平面図である。
【図２】本考案の立断面図である。
【図３】桁Ａの平面、立面、側面図である。
【図４】桁Ｂの平面、立面、側面図である。
【図５】桁Ｃの平面、立面、側面図である。
【図６】桁Ｄの平面、立面、側面図である。
【図７】桁Ｅの平面、立面、側面図である。
【考案を実施するための形態】
【０００７】以下、本考案を実施すするための形態について説明する。
線香立ての器（１）の中に、極薄金属板を山型に折り曲げた桁（２）を隙間（３）をおいて並べた物を、上から（Ａ）、（Ｂ）、（Ｃ）、（Ｄ）、（Ｅ）に配置するものである。
各桁（Ａ）（Ｂ）（Ｃ）（Ｄ）（Ｅ）は、方向が直角に交差する配置である。
上から見ると、図１のごとく下まで見通せる隙間（４）が見える。
線香（６）を、この隙間（４）に立てる。
本考案は、以上のような構造である。
【符号の説明】
【０００８】１  線香立ての器
２  極薄金属板を山型に折り曲げた桁
３  桁の隙間
４  下まで見通せる隙間
５  枠
６  線香
【図１】
0003190177.tif 000003
【図２】
0003190177.tif 000004
【図３】
0003190177.tif 000005
【図４】
0003190177.tif 000006
【図５】
0003190177.tif 000007
【図６】
0003190177.tif 000008
【図７】
0003190177.tif 000009
【手続補正書】
【提出日】平成25年12月9日(2013.12.9)
【手続補正１】
【補正対象書類名】実用新案登録請求の範囲
【補正対象項目名】全文
【補正方法】変更
【補正の内容】
【実用新案登録請求の範囲】
【請求項１】
線香立ての器（１）の中に、灰の代わりに、極薄金属板を三角山型に概ね６０度の角度に折り曲げた桁（２）を、概ね１センチメートルの隙間（３）をおいて並行に並べた丸い金属枠（５）を、５段重ねた構造の線香立てである。桁（２）は、折り曲げた頂部の内側に金属線の心棒を固定し、枠（５）にこの心棒を固定して並べる。三角山の桁の裾幅は概ね１．７センチメートルとする。
一番上の枠（Ａ）を三角山型桁（２）が南北方向になるように置く。
その下の段の枠（Ｂ）は三角山桁（２）が東西方向になるように９０度方向を変えて置く。
さらにまたその下の段の枠（Ｃ）は三角山桁（２）が南北方向になるよう９０度方向を変えて置く。
さらにまたその下の段の枠（Ｄ）は三角山桁（２）が東西方向になるよう９０度方向を変えて置く。
さらにまたその下の段の枠（Ｅ）は三角山桁（２）が南北方向になるよう９０度方向を変えて置く。
これらの枠（５）が、金属線の支柱脚によって５段に重ねられ支持された構造である。
上から見ると器（１）の底部まで見通せる概ね１センチメートルの四角形の隙間（４）が桁と桁の隙間に見える。
この底まで見通せる隙間（４）に、線香（６）を立てる構造の、線香が倒れない線香立て。
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
器の中に、極薄金属板を三角山型に折り曲げた複数の第１の桁を隙間をおいて並べ、この複数の第１の桁の上又は下に重ねて別の複数の第２の桁を隙間をおいて、前記複数の第１の桁を並べた方向と直角に交差する方向に並べて構成し、前記隙間から前記器の底まで見通せるようにしたことを特徴とする線香立て。
(57)【要約】      （修正有）【課題】歩行時に足裏の足指付け根にあるリンパのツボを刺激する足指枕を提供する。【解決手段】クッション材からなる足指枕であって、足指枕本体１と、足指枕本体１から垂直に伸びる複数のズレ止めクッション２と、を備え、ズレ止めクッション２を足指間に挟むとともに、足指枕本体１を足指の下のへこんだ部分に装着して、歩くたびに足指の付け根にあるリンパのツボを刺激する構造とし、足指枕本体１と前記ズレ止めクッション２の素材は、吸水性があることを特徴とする。【選択図】図１
0003190173.tif 000002
【実用新案登録請求の範囲】
【請求項１】
足指枕（クッション材）１を足指の下のへこんだ部分に装着して、歩くたびに足指の付け根にあるリンパ腺のツボ３を刺激する足指枕。
【請求項２】
足指枕は、足裏に装着するので周りの人からは見えません。足指で挟む部分も目立たないようにした足指枕。
【考案の詳細な説明】
【技術分野】
【０００１】  本考案は、歩行時に足裏の足指付け根にあるリンパのツボを刺激する足指枕に関する。
【背景技術】
【０００２】  従来の足ツボ健康法として、足の裏全体を歩行時に刺激する靴・中敷き［特許文献１］やサンダル［特許文献２］・靴下等があります。【０００３】  また、歩行時でなく風呂上がり等に使用し、リラックスを得るため足指を広げる足指パッドが市販されています。【０００４】  歩行時に足指の付け根にあるリンパ腺のツボを刺激するものとして、足指の下を膨らませた靴底や中敷き［特許文献３］及び足指の下を盛り上げた靴やサンダルがあります。【０００５】  しかしながら、一般的な靴底は平らなものであり、リンパ腺のツボを刺激できない形状である。
【先行技術文献】
【特許文献】
【０００６】
【特許文献１】特開平９−１０３３０６号公報
【特許文献２】特開２００３−２８４６０１号公報
【特許文献３】実用新案登録第３１１９２９９号公報
【考案の概要】
【考案が解決しようとする課題】
【０００７】  解決しようとする問題点は、歩行する時に平らな靴底だとリンパ腺のツボを刺激できない点である。
【課題を解決するための手段】
【０００８】  足指枕（クッション材）１を足指の下のへこんだ部分に装着して、歩くたびに足指の付け根にあるリンパ腺のツボ３を刺激することを主要な特徴とする。【０００９】  足指枕１を装着する時に、ずれないように足指間にも薄いクッション材２を挟むように装着させる。【００１０】  装着する箇所は汗をかく場所なので、足指枕は吸水性のあるものとする。
【考案の効果】
【００１１】  この考案は、歩行時に足指枕１が足指の付け根にあるリンパのツボを刺激して、免疫機能及び排泄機能を良化させ、老廃物を体外へ排出させ、健康体を維持させます。
免疫機能が高まると病気にかかりにくくなり、インフルエンザや風邪、糖尿病、ガンなどを予防することにつながります。
排泄機能が高まると老廃物を体外へ排出させ、余分な水分も体外へ排出させるため、むくみが無くなります。【００１２】  足指枕は、足裏に装着するので周りの人からは見えません。足指で挟む部分も目立たないようにし、足指が透けて見えるソックスを履く女性が身に着けやすいようにしました。
【図面の簡単な説明】
【００１３】
【図１】足指枕の測面図
【図２】足指枕の平面図
【図３】足指枕を装着した時の足裏図
【図４】足指枕を装着した時の足側面図
【図５】足指枕を装着した時の足上面図
【考案を実施するための形態】
【００１４】  以下、本考案の実施の形態を図に基づいて説明する。
【実施例】
【００１５】  図１は、足指枕の側面です。下部が足指枕本体１でその上部に足指間に挟ませるズレ止クッション２を設けます。【００１６】  図２は、足指枕の平面図です。【００１７】  図３は、足指枕を装着した時の足裏図であって、ズレ止のクッション材２を足指間に挟み、足指枕を足指の下のくぼみに装着する。リンパ腺のツボ３は、第二指５から第四指７の付け根にあり、そのツボを歩く度に刺激する。【００１８】  図４は、足指枕を装着した時の足側面図であって、足指枕を足指の下のくぼみに装着させた図です。足指の付け根にリンパ腺のツボ３が存在します。【００１９】  図５は、足指枕を装着した時の足上面図であって、足裏に装着するので周りの人からは見えません。足指で挟むズレ止クッション２も目立たないようにし、足指が透けて見えるソックスを履く女性が身に着けやすいようにしました。
【符号の説明】
【００２０】１  足指枕本体
２  ズレ止クッション
３  リンパ腺のツボ
４  第１指
５  第２指
６  第３指
７  第４指
８  第５指
【図１】
0003190173.tif 000003
【図２】
0003190173.tif 000004
【図３】
0003190173.tif 000005
【図４】
0003190173.tif 000006
【図５】
0003190173.tif 000007
【手続補正書】
【提出日】平成25年11月13日(2013.11.13)
【手続補正１】
【補正対象書類名】実用新案登録請求の範囲
【補正対象項目名】全文
【補正方法】変更
【補正の内容】
【実用新案登録請求の範囲】
【請求項１】
「足指枕本体（１）」の形状は、足指の裏側のへこんだ部分に収まるクッション材で、ズレ止として足指間に挟ませる「ハネ（２）」を付けたもの。
【請求項２】
「足指枕本体（１）」及び「ズレ止のハネ（２）」の素材は吸水性のあるもので、装着した時に周りから見えにくいようにしたもの。
【手続補正書】
【提出日】平成26年1月30日(2014.1.30)
【手続補正１】
【補正対象書類名】実用新案登録請求の範囲
【補正対象項目名】全文
【補正方法】変更
【補正の内容】
【実用新案登録請求の範囲】
【請求項１】
クッション材からなる足指枕であって、足指枕本体（１）と、前記足指枕本体（１）から垂直に伸びる複数のズレ止めクッション（２）と、を備え、前記ズレ止めクッション（２）を足指間に挟むとともに、前記足指枕本体（１）を足指の下のへこんだ部分に装着して、歩くたびに足指の付け根にあるリンパのツボを刺激する足指枕。
【請求項２】
前記足指枕本体（１）と前記ズレ止めクッション（２）の素材は、吸水性があることを特徴とする請求項１記載の足指枕。
(57)【要約】      （修正有）【課題】長時間使用しても目に優しい、青色の周波数帯のスペクトルの出にくい照明器具を提供する。【解決手段】ＬＥＤユニット１の下部にブルーライトカットフィルム２を樹脂シャーシ３で挟み込むように固定し、その下部に拡散板４を取り付けることにより、外観のデザインを損なうことなく、青色スペクトルを低減することができる。また、ＬＥＤユニット１、ブルーライトカットフィルム２、拡散板４の光透過面には粘着剤などは施さず、空気層を介しているので粘着剤の劣化はもとより、使用者の接触などの外的要因を受けることなく、ブルーライトカットフィルム２はＬＥＤの寿命以上に効果を維持できる。【選択図】図１
0003190231.tif 000002
【実用新案登録請求の範囲】
【請求項１】
ＬＥＤを光源とした照明器具において、ＬＥＤユニットと拡散板の間に、青色スペクトルのピークを吸収する効果のあるフィルムを設置することで、青色スペクトルがＬＥＤ灯具外に放出される量を減らすとともに、その効果を持続させるため、光の透過面には粘着剤等を使わず、フィルム自体を使用者が直接触れられない構造にしたＬＥＤデスクライト。
【考案の詳細な説明】
【技術分野】
【０００１】この考案はＬＥＤを光源としたデスクライトに係り、ＬＥＤより発せられる可視光のうち、青色の周波数帯のスペクトルを低減させることを目的とした構造に関する。
【背景技術】
【０００２】従来のＬＥＤ電気スタンドなどの場合、図２の側面図に示すようにＬＥＤを内包した灯具ａから照射される青色のスペクトルを低減させる方法として、市販の片面粘着付ブルーライトカットフィルムｃを用い、前面カバーｂの外側に貼る方法等が知られているが、長期使用による使用者の接触や粘着剤の劣化等により、効果を喪失しまう可能性が高かった。【０００３】言い換えれば、このように外側に貼ったフィルム自体の、経年変化による性能喪失を、ＬＥＤ寿命以上に保つ事は極めて困難であった。【０００４】これらの事はランプ交換不要のＬＥＤ電気スタンドにおいて、致命的な課題であった。
【考案の概要】
【考案が解決しようとする課題】
【０００５】従来、特に５０００Ｋ以上の色温度を有するＬＥＤ照明器具の場合、ＬＥＤ光源の発光原理上、光成分に青色のスペクトルを多量に含んでおり、その青色のスペクトルを長年浴び続けると人間の網膜に悪影響を及ぼしたり、夜に多量に浴びることによる不眠症などが懸念されている。これらの問題に対し青色スペクトルを低減させる市販のブルーライトカットフィルムもあるが、後付けなのでおのずと外側に貼る方法を強いられ、外的接触や経年変化により、その効果をＬＥＤの寿命以上に保つ事が容易には出来なかった。
【課題を解決するための手段】
【０００６】この考案は、ＬＥＤユニットと拡散板の間に、青色スペクトルのピークを吸収する効果のあるフィルムを設置することで、青色スペクトルがＬＥＤ灯具外に放出される量を減らすとともに、その効果を持続させるため、光の透過面には粘着剤等を使わず、フィルム自体を使用者が直接触れられない構造にしている。
【考案の効果】
【０００７】ＬＥＤ光源と灯具内から外部に光を発せられる拡散板等に覆われた構造の間にブルーライトカットフィルムを取り付けることにより、光源から灯具外に放出される可視光の光成分のうち、青色スペクトル付近が低減される。また、フィルムを内部に設置する事により、粘着剤の劣化や使用者の接触などの外的要因を受けることなく、ＬＥＤの寿命以上に効果を維持できる。
【図面の簡単な説明】
【０００８】
【図１】当該電気スタンド灯具の一実施例を示す分解斜視図である。
【図２】従来電気スタンド灯具例を示す組立側面図である。
【考案を実施するための形態】
【０００９】以下、図に示す実施例に基づきこの考案を記述する。なお、これによってこの考案が限定されるものではない。
【００１０】図１に示す通りＬＥＤユニット１の下部にブルーライトカットフィルム２を樹脂シャーシ３で挟み込むように固定し、その下部に拡散板４を取り付けることにより、外観のデザインを損なうことなく、青色スペクトルを低減することができる構造となる。
【００１１】また、ＬＥＤユニット１、ブルーライトカットフィルム２、拡散板４の光透過面には粘着剤などは施さず、空気層を介しているので粘着剤の劣化はもとより、使用者の接触などの外的要因を受けることもなく、本考案の中核を成すブルーライトカットフィルム２はＬＥＤの寿命以上に効果を維持できる。
【００１２】なお、この実施例ではデスクライトを用いて説明しているが、同様の構成を用いれば、他形態のＬＥＤ照明器具に適用することも可能である。
【符号の説明】
【００１３】ａ  灯具
ｂ  前面カバー
ｃ  片面粘着付ブルーライトカットフィルム
ＬＥＤユニット
ブルーライトカットフィルム
樹脂シャーシ
拡散板
【図１】
0003190231.tif 000003
【図２】
0003190231.tif 000004
(57)【要約】      （修正有）【課題】水道の水圧により渦を生じさせ、その回転力を利用し米を洗う洗米機を提供する。【解決手段】米を入れる容器１の中心部に水道の蛇口に直結できる接続器を備えた給水管２を設けて、その給水管の下部には水が回転し渦巻くように形成した噴射ノズル４を取り付け、容器の底は渦巻が生じるように放射状の凹凸に形成し、容器の上部の蓋には米の投入口８と米を洗った後にあふれた水を排出する排水口６を設け、排水口の下部には水と一緒に米が排出されないように網６−１を取り付ける。【選択図】図１
0003190237.tif 000002
【実用新案登録請求の範囲】
【請求項１】
円筒状の容器（１）の底は放射状の凹凸（５）になっていて、中心部に水道水を通す給水管（２）を設け、当該給水管の上部には水道蛇口からのホース接続具（９）、下部には溜まった水道水が渦を巻くように形成された噴射ノズル（４）を設け、容器の上部には米投入口（８）と洗米後の水の排水口（６）を設け、排水口の下には米の排出を妨げるため網（６−１）を設けた水道水の圧力を利用する洗米機。
【考案の詳細な説明】
【技術分野】
【０００１】  本考案は洗米機に関する。
【背景技術】
【０００２】  通常米を洗うには釜やボウルなどの容器に米を入れた後、水を入れて素手で回転させ、これを数回繰り返し終了となる。
【考案が解決しようとする課題】
【０００３】  この場合においては冬の寒いときには水が冷たいので何回もやると手荒れなどの原因になり体に負担がかかるので、冷たい水に素手を浸さないで米を洗うようにする必要がある。
【課題を解決するための手段】
【０００４】  水道水の圧力を利用して米を回転させ洗うようにすれば素手を水に浸けなくて済むのでこれをどのように実現するか考えついたのがこの考案であってその仕組みと構造を表すと次のとおりである。
まずは米を入れる容器の中心部に水道の蛇口に直結できる接続器を備えた給水管を設けて、その給水管の下部には水が回転し渦巻くような形成した噴射ノズルを取り付け容器の底は水が渦巻を生じるように放射状の凹凸に形成して容器の上部の蓋には米の投入口と米を洗った後にあふれた水を排出する排水口を設け、排水口の下部には水と一緒に米が排出されないように網を取り付ける。
【考案の効果】
【０００５】  モータ等の動力を使わず水道水の利用のため事故もなく安全で清潔です。
【図面の簡単な説明】
【０００６】
【図１】本考案の全体図
【考案を実施するための形態】
【０００７】  １の容器内の米は水道水の圧力により給水管に備えたノズルから噴射され渦を巻いた水により撹拌、洗米され、上部に水と伴に上昇し米のとぎ汁は６の排水口を通り外部に流出するが洗米された米は６−１の網により容器内に残る。
洗米された米は８の出入口より取出すようになっている。洗米完了後水道水バルブを閉め洗米を取り炊飯器に移す。
【実施例】
【０００８】  使用手順
（１）８の米出入口から１の容器の中に必要分の米を入れ米出入口にふたをする。
（２）２の給水管に水道蛇口からのホースを取付ける。
（３）水道のコックを開け水を出す。
（４）このとき水道水は給水管２を通り４から噴射され噴射ノズルおよび容器底部の凹        凸の影響により容器の中で渦巻く。
（５）米は渦で撹拌され洗米される。
（６）水は渦により米と伴に上昇して６の排水口より排出されるが米は６−１の網によ        り容器内に残る。
（７）米のとぎ汁が半透明になったら水道を止めて洗米後の米を８の米出入口から取り        出して完了。【０００９】
【符号の説明】
【００１０】  １      容器
２      給水管
３      水道
４      噴射ノズル
５      容器底部の凹凸
６      排水口
６−１  排水口取り付け網
７      米
８      米出入口
９      接続具
１０      水道バルブ
１１      水
【図１】
0003190237.tif 000003